(57)【要約】【課題】  撮影までに要する時間を短縮する工夫が図られたカメラを提供する。【解決手段】  測光部が、絞り部材が所定の第１の開口径にあるときに被写界輝度を測光すると共に、この第１の開口径では被写界輝度の測光が不能であった時には絞り部材がこの第１の開口径からこの第１の開口径とは異なる径の所定の第２の開口径に移行する途中で被写界輝度を測光し、露出制御部は、絞り部材が第１の開口径から第２の開口径に移行する途中で被写界輝度が測光された場合には、測光された被写界輝度と、絞り部材の、被写界輝度測光タイミングにおける開口径とに基づいて露出を制御する。【選択図】        図９
2004310010.tif 000002
【特許請求の範囲】
【請求項１】
開口径の変更が全閉状態を含んで自在であって開口径の変更指示に応じて所定の応答速度を以って変更後の開口径に移行する絞り部材が内蔵され、該絞り部材の開口を通って入射してきた被写体光を撮像素子で受光して画像データを生成するカメラにおいて、
前記絞り部材の開口径をモニタするセンサと、
前記絞り部材の開口径を制御する絞り制御部と、
前記撮像素子での受光光量に基づいて被写界輝度を測光する測光部と、
前記測光部で測光された被写界輝度に基づいて露出を制御する露出制御部とを備え、
前記測光部は、前記絞り部材が所定の第１の開口径にあるときに被写界輝度を測光すると共に、該第１の開口径では被写界輝度の測光が不能であった時には前記絞り部材が前記第１の開口径から該第１の開口径とは異なる径の所定の第２の開口径に移行する途中で被写界輝度を測光するものであって、
前記露出制御部は、前記絞り部材が前記第１の開口径から前記第２の開口径に移行する途中で被写界輝度が測光された場合には、測光された被写界輝度と、前記センサでモニタされた、前記絞り部材の、被写界輝度測光タイミングにおける開口径とに基づいて露出を制御するものであることを特徴とするカメラ。
【請求項２】
前記第１の開口径および前記第２の開口径が、相対的にそれぞれ大きな開口径および小さな開口径であって、前記測光部が、前記第１の開口径にあるときに被写界輝度を測光すると共に、該第１の開口径では露光オーバで被写界輝度の測光が不能であった時には前記絞り部材が前記第１の開口径から前記第２の開口径に移行する途中で被写界輝度を測光するものであることを特徴とする請求項１記載のカメラ。
【請求項３】
前記第１の開口径および前記第２の開口径が、相対的にそれぞれ小さな開口径および大きな開口径であって、前記測光部が、前記第１の開口径にあるときに被写界輝度を測光すると共に、該第１の開口径では露光アンダで被写界輝度の測光が不能であった時には前記絞り部材が前記第１の開口径から前記第２の開口径に移行する途中で被写界輝度を測光するものであることを特徴とする請求項１記載のカメラ。
【請求項４】
前記絞り部材が前記第１の開口径にあるときの被写界輝度の測光が可能であったか否かに応じて、それぞれ、該絞り部材が該第１の開口径にある状態、および該絞り部材が前記第２の開口径に安定した状態で撮影を行う撮影タイミング制御部を備え、
前記露出制御部は、シャッタ速度を制御するものであることを特徴とする請求項２又は３記載のカメラ。
【請求項５】
前記絞り部材が前記第１の開口径にあるときの被写界輝度の測光が可能であったか否かに応じて、それぞれ、該絞り部材が該第１の開口径にある状態で撮影を行い、および該絞り部材が前記第２の開口径に安定した状態に達したか否かを問わずに撮影を行なう撮影タイミング制御部を備え、
前記露出制御部は、前記絞り部材が前記第１の開口径にある時に被写界輝度の測光が可能であったときには、該絞り部材が該第１の開口径にある状態でシャッタ速度を制御するものであって、前記絞り部材が前記第１の開口径にあるときに被写界輝度の測光が不能であったときには、前記測光部より前記第２の開口径に移行する途中で測定された被写界輝度と、前記センサでモニタされた、前記絞り部材の、前記測光部による被写体輝度測光のタイミングにおける開口径とに基づくと共に、さらに前記センサでモニタされた、前記絞り部材の、撮影タイミングにおける開口径にも基づいてシャッタ速度を制御するものであることを特徴とする請求項２又は３記載のカメラ。
【請求項６】
前記絞り部材が前記第１の開口径にあるときの被写界輝度の測光が可能であったか否かに応じて、それぞれ、該絞り部材が該第１の開口径にある状態で撮影を行い、および該絞り部材が前記第２の開口径に安定した状態に達したか否かを問わずに撮影を行なう撮影タイミング制御部を備え、
前記露出制御部は、前記絞り部材が前記第１の開口径にある時に被写界輝度の測光が可能であったときには、該絞り部材が該第１の開口径にある状態でシャッタ速度を制御するものであると共に、前記絞り部材が前記第１の開口径にあるときに被写界輝度の測光が不能であった時には、前記測光部により前記第２の開口径に移行する途中で測光された被写界輝度を第２の開口径にあるときに測光されたものとみなしてシャッタ速度を制御し、さらに、得られた画像データ上で露出を補正するものであることを特徴とする請求項２又は３記載のカメラ。
【発明の詳細な説明】
【技術分野】
【０００１】
本発明は、開口径の変更が全閉状態を含んで自在であって開口径の変更指示に応じて所定の応答速度を以って変更後の開口径に移行する絞り部材が内蔵され、該絞り部材の開口を通って入射してきた被写体光を撮像素子で受光して画像データを生成するカメラに関する。
【背景技術】
【０００２】
近年、静止画の撮影が可能なビデオカメラが急速に普及している。
【０００３】
このようなビデオカメラでは、搭載するＣＣＤの画素数を増やすなどして静止画に必要とされる鮮明さを確保している。
【０００４】
ところで、ビデオカメラには、ガルバノ式と呼ばれる、ガルバノメータを備えた絞りを採用するものがある。これは、ビデオカメラでは、画像と共に音も記録しているため、被写界輝度に追随して変化する絞りの駆動音を小さくする必要があり、ガルバノ式絞りは駆動時の静粛性が高いという特長を有しているためである。
【０００５】
図１は、ガルバノ式絞りの概略図である。
【０００６】
図１には、この絞りを構成する、第１絞り羽根１０３ａと第２絞り羽根１０３ｂからなる絞り羽根１０３、回動ロータ１００ａとポスト１００ｂからなる絞り駆動部１００、および、ガルバノメータ１０６が示されており、ガルバノメータ１０６には、後述するホール素子１０７が配設されている様子も示されている。
【０００７】
図２は、ガルバノメータの内部構成図である。
【０００８】
図２には、このガルバノメータ１０６の構成要素である回動軸１０６ａと、この回動軸１０６ａに取り付けられた磁石１０６ｂと、この磁石１０６ｂに取り付けられた回動軸１０６ａの回動量を制御するための駆動コイル１０６ｃおよび制動コイル１０６ｄとが示されている。
【０００９】
ガルバノメータ１０６では、駆動コイル１０６ｃに電流を流すことで磁力線が発生し、この発生磁力を、磁石１０６ｂを回動させる駆動力として利用している。この磁石１０６ｂの回動によって制動コイル１０６ｄの周辺磁界が変化することで、制動コイル１０６ｂに起電力が生じ、これにより、駆動コイル１０６ｃに流れる電流が制御され、磁石１０６ｂの回動は所定の角度に設定される。ホール素子１０７は、ホール素子が取り付けられている位置における磁界の強さと極性を検出して、磁石１０６ｂの回動角度情報を得ている。
【００１０】
このガルバノ式絞りには、絞り羽根１０３がフロート構造となっているためにフレが発生しやすいという特徴がある。
【００１１】
図３は、ガルバノ式絞りの開口径を、目標とする絞り開口径に変化させた場合の様子を示す図である。
【００１２】
図３には、開口径が‘開放端’側から目標とする絞り開口径に向かって変化している様子が示されているほか、この絞りが、所定の絞り開口径に安定するまでに時間がかかるものであるという特徴が示されている。
【００１３】
ところで、一般のデジタルスチルカメラでは、撮影の際には、まず仮撮影による被写体輝度の測光が行なわれ、これにより得られた被写体輝度に基づいて、本撮影時の絞り開口径およびシャッタスピードなどの撮影条件が設定された後、撮影者からの撮影指示により撮影が行なわれる。
【００１４】
上記測光は、まず、絞り開口径を‘開放端’にして行なわれ、この時、ＣＣＤなどの撮像素子上の全てのエリアで輝度が把握できれば、その輝度を基に撮影条件が設定されることとなるが、撮像素子上に被写体輝度の把握のできないエリアが存在する場合には、この未把握エリアの輝度を把握するために、絞り開口径を‘小絞り’にしての再度の測光が行なわれる。
【００１５】
そこで、このようなガルバノ式絞りを備えたビデオカメラにおいて静止画撮影を行なうことを考えると、１回目の測光で被写体輝度の把握ができなかった場合の２回目の測光を絞り開口径‘小絞り’に安定させて行なう必要があり、さらに、静止画撮影が、測光で得られた輝度情報に基づいて決定された、‘小絞り’とは異なる絞り開口径に安定させた上で行なわれる場合も考えられる。したがって、このようなビデオカメラでは、絞り開口径を測光や本撮影のために変化させるたびに開口径が安定するまでの時間が必要となることから、撮影者が意図するシーンとはズレたシーンの撮影が行なわれるおそれがある。
【００１６】
これに対し、このガルバノメータの、‘開放’側における絞り開口の変化速度のアップを図った提案がなされている（特許文献１参照。）。
【００１７】
図４は、ガルバノメータの回動軸の回動に伴って、開放端から閉鎖端までの絞り開口のＦ値の変化を示す図である。
【００１８】
図４には、ガルバノメータの回動軸を同じ角度だけ回動させた場合であっても、絞り開口径が‘開放’側と‘小絞り’側とでは、Ｆ値の変化の度合いが異なることが示されている。
【００１９】
上記提案では、ガルバノメータの回動軸の変化に対する絞り開口面積の変化率が、図４に示すように‘小絞り’側と比べ‘開放’側が低くなっているのを、‘小絞り’側から‘開放’側にかけてメータ角の変化に対する絞り開口面積の変化率を一定にする回路を設けて高くすることで、‘開放’側における絞りの動作速度のアップも図ろうとするものである。
【特許文献１】特開平４−２２３４５０号公報
【発明の開示】
【発明が解決しようとする課題】
【００２０】
しかし、上記提案は、‘開放’側での動作速度はアップするものの、‘小絞り’側では逆に動作速度はダウンすることから上記問題は依然として残ることとなる。
【００２１】
尚、上記の問題は、所定の絞り値に安定するまでに時間がかかるガルバノ式絞りにおいて特に顕著となるだけであって、このガルバノ式以外の方式の絞り部材においても、最初の測光において被写界輝度の把握が不能であった場合には、他の所定の絞り開口径での再測光と、その後の、本撮影における条件決定までに時間がかかることで、意図するシーンとはズレたシーンについて撮影が行なわれてしまうことに変わりはなく、また、被写界輝度の最初の測光が‘開放端’で行なわれているために発生しているのでもない。
【００２２】
本発明は、上記事情に鑑み、撮影までに要する時間を短縮する工夫が図られたカメラを提供することを目的とする。
【課題を解決するための手段】
【００２３】
上記目的を達成するための本発明のカメラは、
開口径の変更が全閉状態を含んで自在であって開口径の変更指示に応じて所定の応答速度を以って変更後の開口径に移行する絞り部材が内蔵され、この絞り部材の開口を通って入射してきた被写体光を撮像素子で受光して画像データを生成するカメラにおいて、
上記絞り部材の開口径をモニタするセンサと、
上記絞り部材の開口径を制御する絞り制御部と、
上記撮像素子での受光光量に基づいて被写界輝度を測光する測光部と、
上記測光部で測光された被写界輝度に基づいて露出を制御する露出制御部とを備え、
上記測光部は、上記絞り部材が所定の第１の開口径にあるときに被写界輝度を測光すると共に、この第１の開口径では被写界輝度の測光が不能であった時には上記絞り部材が上記第１の開口径からこの第１の開口径とは異なる径の所定の第２の開口径に移行する途中で被写界輝度を測光するものであって、
上記露出制御部は、上記絞り部材が上記第１の開口径から上記第２の開口径に移行する途中で被写界輝度が測光された場合には、測光された被写界輝度と、上記センサでモニタされた、上記絞り部材の、被写界輝度測光タイミングにおける開口径とに基づいて露出を制御するものであることを特徴とする。
【００２４】
本発明のカメラでは、上記第１の開口径において被写界輝度の測光が不能であった場合に所定の第２の開口径における被写界輝度の測光が再度行なわれた後に適正露出のための撮影条件の設定が行なわれていた従来と比べ、上記第１の開口径において被写界輝度の測光が不能であった場合には、再度の被写体輝度の測光が、絞りの開口径が第２の開口径となる前に行なわれる。これにより、上記第１の開口径において被写界輝度の測光が不能であった場合のその後の被写体輝度の把握時期が従来に比べ早まるため、適正露出のための撮影条件設定を早く行なうことができる。したがって、本発明のカメラによれば、撮影までに要する時間を短縮することができる。
【００２５】
また、上記第１の開口径および上記第２の開口径が、相対的にそれぞれ大きな開口径および小さな開口径であって、上記測光部が、上記第１の開口径にあるときに被写界輝度を測光すると共に、この第１の開口径では露光オーバで被写界輝度の測光が不能であった時には上記絞り部材が上記第１の開口径から上記第２の開口径に移行する途中で被写界輝度を測光するものであってもよく、あるいは、上記第１の開口径および上記第２の開口径が、相対的にそれぞれ小さな開口径および大きな開口径であって、上記測光部が、上記第１の開口径にあるときに被写界輝度を測光すると共に、この第１の開口径では露光アンダで被写界輝度の測光が不能であった時には上記絞り部材が上記第１の開口径から上記第２の開口径に移行する途中で被写界輝度を測光するものであってもよい。
【００２６】
ここで、上記絞り部材が上記第１の開口径にあるときの被写界輝度の測光が可能であったか否かに応じて、それぞれ、この絞り部材がこの第１の開口径にある状態、およびこの絞り部材が上記第２の開口径に安定した状態で撮影を行う撮影タイミング制御部を備え、
上記露出制御部は、シャッタ速度を制御するものであってもよい。
【００２７】
このようにすると、上記第１の開口径において被写界輝度の測光が不能であった場合の従来よりも早い輝度情報の獲得に加え、本撮影についても、絞り開口径が上記第２の開口径に安定した時点で行なわれるため第２の開口径での測光が行なわれ第２の開口径による測光で得られた被写体輝度に基づいて設定された、第２の開口径とは異なる開口径で撮影が行なわれる場合と比べると撮影までに要する時間をさらに短縮することができる。
【００２８】
あるいは、上記絞り部材が上記第１の開口径にあるときの被写界輝度の測光が可能であったか否かに応じて、それぞれ、この絞り部材がこの第１の開口径にある状態で撮影を行い、およびこの絞り部材が上記第２の開口径に安定した状態に達したか否かを問わずに撮影を行なう撮影タイミング制御部を備え、
上記露出制御部は、上記絞り部材が上記第１の開口径にある時に被写界輝度の測光が可能であったときには、この絞り部材がこの第１の開口径にある状態でシャッタ速度を制御するものであって、上記絞り部材が上記第１の開口径にあるときに被写界輝度の測光が不能であったときには、上記測光部より上記第２の開口径に移行する途中で測定された被写界輝度と、上記センサでモニタされた、上記絞り部材の、上記測光部による被写体輝度測光のタイミングにおける開口径とに基づくと共に、さらに上記センサでモニタされた、上記絞り部材の、撮影タイミングにおける開口径にも基づいてシャッタ速度を制御するものであってもよい。
【００２９】
このようにすると、例えば、上記第１の開口径において被写界輝度の測光が不能であった場合に、絞り開口径が第２の開口径に到達する前の段階での測光および撮影を行なうことが可能となるため、さらに撮影までに要する時間を短縮することができる。
【００３０】
また、上記絞り部材が上記第１の開口径にあるときの被写界輝度の測光が可能であったか否かに応じて、それぞれ、この絞り部材がこの第１の開口径にある状態で撮影を行い、およびこの絞り部材が上記第２の開口径に安定した状態に達したか否かを問わずに撮影を行なう撮影タイミング制御部を備え、
上記露出制御部は、上記絞り部材が上記第１の開口径にある時に被写界輝度の測光が可能であったときには、この絞り部材がこの第１の開口径にある状態でシャッタ速度を制御するものであると共に、上記絞り部材が上記第１の開口径にあるときに被写界輝度の測光が不能であった時には、上記測光部により上記第２の開口径に移行する途中で測光された被写界輝度を第２の開口径にあるときに測光されたものとみなしてシャッタ速度を制御し、さらに、得られた画像データ上で露出を補正するものであってもよい。
【００３１】
このように、上記第１の開口径における被写界輝度の測光が不能であった場合に、絞りの開口径が第２の開口径に到達する前であっても測光を行なうと共に、そのときに得られた被写体輝度に基づいて、絞り開口径は第２の開口径と同じであるとしてシャッタスピードが設定されて撮影が行なわれ、撮影で得られた画像データが適正露出でなければ補正が行なわれることで、絞りが第２の開口径に変化する前の段階での測光および撮影を行なうことが可能であるため、撮影までに要する時間をさらに短縮することができる。
【発明の効果】
【００３２】
本発明のカメラによれば、撮影までに要する時間を短縮することができる。
【発明を実施するための最良の形態】
【００３３】
以下、本発明の実施形態について説明する。
【００３４】
図５は、本発明のカメラの第１実施形態の外観斜視図である。
【００３５】
図５に示される本実施形態であるデジタルカメラ１は、ＣＣＤ固体撮像素子上に結像された被写体像を静止画で撮像する機能のほかに動画で撮像する機能を備えたデジタルカメラである。
【００３６】
図５には、筐体２、フラッシュ発光窓１２、２段階のスイッチで構成されたレリーズボタン１３、およびファインダ対物窓１４が示されている。
【００３７】
図６は、本実施形態であるデジタルカメラの内部構成図である。
【００３８】
図６には、被写体光を集光するレンズ１１、絞り羽根１０３、撮像素子（ＣＣＤ）１０２、Ａ／Ｄ変換器１１７、信号処理回路１０４、および出力端子１０５が示されており、絞り羽根１０３を通過した被写体光は、撮像素子上で結像され光電変換される。
【００３９】
絞り羽根１０３は、撮像素子１０２に照射される被写体光の光量を調節するとともに、完全に閉じることもできる。撮像素子１０２の出力端は、Ａ／Ｄ変換器１１７の入力端に接続され、撮像素子１０２からの出力信号はアナログ／デジタル変換される。Ａ／Ｄ変換器１１７の出力端は、信号処理回路１０４の入力端に接続され、Ａ／Ｄ変換器１１７からのデジタル出力は、信号処理回路１０４に入力され映像信号となって出力端子１０５に出力される。
【００４０】
また、図６には、マイクロコンピュータ（以後マイコンと略称する）１０９、ガルバノメータ１０６、ホール素子１０７、電子シャッタ制御回路１０８、および同期信号発生回路１１６も示されており、信号処理回路１０４は、メモリ制御回路制御信号１１８、信号量情報１１４、および、動画／静止画切換信号１１９を送信するそれぞれの送信線により、マイクロコンピュータ（以後マイコンと略称する）１０９に接続されている。
【００４１】
ガルバノメータ１０６は、その入力端がマイコン１０９に接続され、マイコン１０９からの絞り制御信号１１１により、絞り駆動部１００を通じて絞り羽根１０３を制御する。
【００４２】
ホール素子１０７は、マイコン１０９に接続され、ガルバノメータ１０６の回動量を検出し、この検出した回動量に応じた絞り位置検出信号１１２をマイコン１０９に入力する。
【００４３】
電子シャッタ制御回路１０８は、その入力端がマイコン１０９に接続され、出力端が撮像素子１０２に接続されており、マイコン１０９からの電子シャッタスピード制御信号１１３に基づいて、光電変換により撮像素子１０２内に生じた電荷を所定の期間掃き出すことで電荷の蓄積期間を制御する。
【００４４】
同期信号発生回路１１６は、マイコン１０９および電子シャッタ制御回路１０８に接続され、双方に１画面の各フィールドの開始を示す垂直同期信号１１５を供給する。
【００４５】
マイコン１０９には、レリーズボタン１３、動画／静止画切換ボタン１２２、およびフラッシュ制御回路１２０が接続されており、フラッシュ装置１２１は、フラッシュ制御回路１２０によって制御される。
【００４６】
ここで、信号処理回路１０４の詳細について説明する
図７は、図６に示す信号処理回路の構成ブロック図である。
【００４７】
図７に示される信号処理回路１０４は、動画と静止画を切り換えるセレクタ回路２０１を有し、セレクタ回路２０１の入力端はＡ／Ｄ変換器１１７の出力端に接続され、図６に示すＡ／Ｄ変換器１１７からのデジタル信号が動画信号２０８として入力される。Ａ／Ｄ変換器１１７の出力端は、第１メモリ２０４及び第２メモリ２０５の各入力端にも接続され、動画信号２０８は、第１メモリ２０４と第２メモリ２０５に入力される。第１メモリ２０４は、撮像素子の奇数ラインからの映像信号を一時記憶し、第２メモリ２０５は、撮像素子の偶数ラインからの映像信号を一時記憶する。第１メモリ２０４及び第２メモリ２０５は、図５に示すマイコン１０９からのメモリ制御回路制御信号１１８が入力されるメモリ制御回路２０６に接続され、メモリ制御回路２０６からのメモリ制御信号２１０により制御される。
【００４８】
第１メモリ２０４及び第２メモリ２０５の出力端は、加算器２０７に接続されている。加算器２０７の出力端はセレクタ２０１の入力端に接続され、第１メモリ２０４及び第２メモリ２０５からの映像信号の加算結果の静止画信号２０９がセレクタ２０１に入力される。セレクタ２０１には、動画／静止画切換信号１１９が入力されており、セレクタ２０１の出力端はカメラ信号処理回路２０２の入力端に接続されている。カメラ信号処理回路２０２の出力端は信号量情報検出回路２０３の入力端に接続され、信号量情報検出回路２０３の出力端からは信号量情報１１４が出力される。
【００４９】
以上の構成における、動画撮影時および静止画撮影時の動作を詳細に説明する。
【００５０】
デジタルカメラ１では、動画撮影時および静止画撮影時共に、奇数フィールドでは、ライン２ｎ−１（ｎは自然数）の画素読み出し、偶数フィールドでは、ライン２ｎ（ｎは自然数）の画素の読み出しが行なわれる。
【００５１】
図６に示すマイコン１０９が動画／静止画切換信号１１９によって、信号処理回路１０４のセレクタ２０１が動画信号２０８側に切換えられ、カメラ信号処理回路２０２で信号処理が行なわれることで出力端子１０５からは動画が出力される。
【００５２】
また、静止画撮影においては、メモリ制御回路２０６からのメモリ制御信号２１０により、奇数フィールドで読み出された奇数ラインの信号は第１メモリ２０４に記憶され、偶数フィールドで読み出された偶数ラインの信号は第２メモリ２０５に記憶される。一旦記憶された奇数ラインと偶数ラインの信号は、動画撮影時の撮像素子１０２の読み出しと同じ組み合わせで第１メモリ２０４および第２メモリ２０５からフレーム周期で繰り返し読み出され加算器２０７で加算されて静止画信号となる。動画／静止画切換信号１１９によってセレクタ回路２０１が静止画信号側に切換えられ、カメラ信号処理回路２０２で信号処理が行なわれることで出力端子１０５からは静止画が出力される。
【００５３】
図８は、本実施形態の内部ブロック図である。
【００５４】
図８には、絞り羽根１０３、この絞り羽根１０３を絞り駆動部１００を通じて制御するガルバノメータ１０６、撮像素子１０２、被写体輝度を測光する測光部３００、測光部３００から得た輝度情報から撮影条件を決定する露出制御部３１０、および、レリーズボタン１３からの指示を受けた後の撮影タイミングを制御する撮影タイミング制御部３２０が示されている。
【００５５】
以下、図８を参照しながら、本実施形態のデジタルカメラ１における静止画撮像について説明する。尚、動画撮像についての説明は、原理については前述してあるのと、公知の内容と同じとなるので省略する。
【００５６】
図６に示す動画／静止画切換ボタン１２２が静止画側にある状態において、レンズ１１を被写体に向け、撮影者が２段のうちの１段目までレリーズボタン１３を押下すると、露出制御部３１０は、ガルバノメータ１０６に対し絞り開口を‘開放端’に変化させる指示を出し、絞り駆動部１００により絞り羽根１０３が‘開放端’を形成した時点で測光部３００に対し被写体輝度の測光を指示する。
【００５７】
測光部３００は、被写体輝度の測光結果を露出制御部３１０に送信する。露出制御部３１０は、測光結果から撮像素子１０２上に輝度の把握ができていないエリアがないか否かを判定し、未把握エリアがなければ、絞り開口径‘開放端’に対応するシャッタスピードが測光結果に基づいて演算され、撮影条件の設定完了が撮影タイミング制御部３２０に伝えられる。その後、ピント調整が終了すると、レリーズボタン２段目までの押下をうけるまで、すなわち撮影タイミング制御部３２０からの撮影指示が送信されてくるまで撮影待機状態となる。
【００５８】
一方、露出制御部３１０では、撮像素子１０２上に輝度の未把握エリアがあると、ガルバノメータ１０６に対し‘小絞り’側への移行を指示する。これにより、絞り開口径は‘開放端’から‘小絞り’側へ移行し始め、移行開始から所定の時間が経過したタイミングで‘小絞り’側に移行途中の絞り開口径での測光が指示される。
【００５９】
図９は、本実施形態のデジタルカメラの絞りの変化を示す図である。
【００６０】
図９には、絞り値（Ｆ値）が縦軸、時間経過が横軸で表わされるグラフに、絞り開口径‘開放端’において被写界輝度の把握ができなかった場合の絞り開口径の変化の様子が示されている。
【００６１】
図９に示されるように、このデジタルカメラ１の絞り羽根１０３は、一旦は‘開放端’に向かい、時刻Ｔ０から時刻Ｔ１までの間で測光を行なうものの、被写界輝度が把握できないために‘小絞り’側に移行することとなる。この場合、従来であれば、絞り開口径が‘小絞り’となったところで２回目の測光が行なわれるが、このデジタルカメラ１では、絞り開口径が‘小絞り’状態となる前の時刻Ｔ２から時刻Ｔ３までの間で測光が行なわれる。
【００６２】
露出制御部３１０では、この２回目の測光により、撮像素子１０２上の輝度がすべて把握されると、この時の測光結果と、時刻Ｔ２から時刻Ｔ３までの間の絞り開口径の変化の中間開口径とから、絞り開口径が‘小絞り’である場合に応じたシャッタスピードを設定する。尚、デジタルカメラ１では、絞り開口径が‘小絞り’に収束する前に２段目（Ｓ２）までレリーズボタンが押下されても、絞りが図９に示すような‘小絞り’に収束してからでないと撮影が行なわれないように撮影タイミング制御部３２０によって制御されている。
【００６３】
図１０は、本実施形態のデジタルカメラにおいて実行されるルーチンのフローチャートである。
【００６４】
図１０に示すステップＳ１では、２段で構成されるレリーズボタン１３の１段目（Ｓ１）が押下されたか否かが判定され、ステップＳ１においてＳ１が押下されていないと判定されると、ステップＳ１を繰り返し、Ｓ１が押下されていると判定されると、ステップＳ２に進み、絞り開口径を‘開放端’に変化させる指示が出される。その後、ステップＳ３に進み、ホール素子１０７が、絞り開口径‘開放端’を表わす信号を出力しているか否かが判定され、ステップＳ３において、出力が正確でないと判定されると、ステップＳ４に進み、ホール素子出力の調整が行なわれる。ステップＳ３において、出力が正確だと判定されると、ステップＳ５に進み、１回目の測光が行なわれる。その後、ステップＳ６に進み、この１回目の測光でＣＣＤ撮像素子上の全エリアの測光ができたか否かが判定され、全エリアの測光ができていると判定されると、ステップＳ７に進み、１回目の測光で得られた被写界輝度を基に、絞り開口径‘開放端’に応じたシャッタスピードが設定される。その後、ステップＳ８でピント調整が行なわれ、ステップＳ１２において、２段目（Ｓ２）までのレリーズボタンの押下があったか否かが判定される。ステップＳ１２において、Ｓ２が押されていないと判定されると、ステップＳ１３に進み、被写体間までの距離に変化があった否かが判定され、ステップＳ１３において、変化がないと判定されると、ステップＳ１２を繰り返す。一方、ステップＳ１３において、変化があったと判定されると、ステップＳ１に戻る。ステップＳ１２においてＳ２までのレリーズボタンの押下がなされたと判定されると、ステップＳ１４に進み、絞り開口径が‘開放端’にあるかが判定され、絞り開口径が‘開放端’であると判定されると、ステップＳ１６に進み、撮影が行なわれる。ステップＳ１７では、撮影で得た画像データを記録媒体に記録するか否かが判定され、不図示の記録指示ボタンが押下され記録指示が出されていると判定されると、ステップＳ１８に進み記録が行なわれる。ステップＳ１７において記録の無効指示が出されていると判定されると、ステップＳ１に戻る。このデジタルカメラ１では、以上説明したように、第１回目の測光で被写界輝度の把握ができたときは、絞り開口径が‘開放端’の状態のままで２段目（Ｓ２）までのレリーズボタンの押下を待って撮影が行なわれる。
【００６５】
一方、ステップＳ６において、全エリアの測光ができていないと判定されると、ステップＳ８に進み、絞り開口径を‘小絞り’に変化させる指示が出される。その後、ステップＳ９に進み、‘小絞り’に向かって変化途中のタイミングで第２回目の測光を行なう。ステップＳ１０では、第２の測光で得た被写界輝度に基づき絞り開口径が‘小絞り‘であるとしてシャッタスピードの設定が行なわれる。その後、ステップＳ１１においてピント調整が行なわれる。ステップＳ１２に進み、Ｓ２までレリーズボタンが押下されたと判定されると、ステップＳ１４に進むが、絞り開口径はすでに‘開放端’から‘小絞り’側に変化していることからステップＳ１５に進むこととなる。ステップＳ１５では、絞り開口径が‘小絞り’になっているか否かが判定され、ステップＳ１５において、未だ絞り開口径が‘小絞り’になっていないと判定されると、ステップＳ１４に戻り、絞り開口径が‘小絞り’となるまでステップＳ１４およびステップＳ１５が繰り返される。ステップＳ１５において、絞り開口径が、‘小絞り’になったと判定されると、ステップＳ１６に進む。以降の説明は、前述してあるので省略する。
【００６６】
以上に説明した実施形態のデジタルカメラ１では、絞り開口径‘開放端’において被写界輝度の測光が不能であった場合に、従来よりも早い輝度情報の獲得に加え、本撮影も、絞り開口径が‘小絞り’に安定した時点で行なわれるため、絞り開口径‘小絞り’での測光が行なわれた後、絞り開口径‘小絞り’による測光で得られた被写体輝度に基づいて設定された、絞り開口径‘小絞り’とは異なる開口径での撮影が行なわれるような場合と比べ、撮影に要する時間をさらに短縮することができる。したがって、このデジタルカメラ１によれば、撮影に要する時間の短縮を図ることができる。
【００６７】
次に、本発明のカメラの第２実施形態について説明する。
【００６８】
本実施形態のデジタルカメラの外観およびハードウェア構成は、第１実施形態の外観およびハードウェア構成と同じであるので図示および説明は省略する。
【００６９】
本実施形態のデジタルカメラと第１実施形態のデジタルカメラ１との相違点は、第１実施形態では、被写体輝度の最初の測光が絞り開口径を‘開放端’にして行なわれるのに対し、本実施形態では、これが最初に‘小絞り’にして行なわれる点と、最初の測光によって被写体輝度の把握が不能な場合の、再測光後の本撮影が、第１実施形態では絞り開口径が‘小絞り’となるのを待って行なわれているのに対し、本実施形態では、‘開放端’となるのを待って行なわれる点である。
尚、本実施形態のブロック図については、第１実施形態と異なり、被写体輝度の測光時の絞りの変化方向が‘小絞り’側から‘開放端’側へと変化しているために、本実施形態の露出制御部は第１実施形態の露出制御部３１０とは異なったものではあるが、図示は省略する。
【００７０】
図１１は、本実施形態のデジタルカメラにおいて実行されるルーチンのフローチャートである。
【００７１】
図１１に示すステップＳ２１では、２段で構成されるレリーズボタン１３の１段目（Ｓ１）が押下されたか否かが判定され、ステップＳ２１においてＳ１が押下されていないと判定されると、ステップＳ２１を繰り返し、Ｓ１が押下されていると判定されると、ステップＳ２２に進み、絞り開口径を‘開放端’に変化させる指示が出される。その後、ステップＳ２３に進み、ホール素子１０７が、絞り開口径‘小絞り’を表わす信号を出力しているか否かが判定され、ステップＳ２３において、出力が正確でないと判定されると、ステップＳ２４に進み、ホール素子出力の調整が行なわれる。ステップＳ２３において、出力が正確だと判定されると、ステップＳ２５に進み、１回目の測光が行なわれる。その後、ステップＳ２６に進み、この１回目の測光でＣＣＤ撮像素子上の全エリアの測光ができたか否かが判定され、全エリアの測光ができていると判定されると、ステップＳ２７に進み、１回目の測光で得られた被写界輝度を基に、絞り開口径‘小絞り’に応じたシャッタスピードが設定される。その後、ステップＳ２８でピント調整が行なわれ、ステップＳ３２において、２段目（Ｓ２）までのレリーズボタンの押下があったか否かが判定される。ステップＳ３２において、Ｓ２が押されていないと判定されると、ステップＳ３３に進み、被写体間までの距離に変化があった否かが判定され、ステップＳ３３において、変化がないと判定されると、ステップＳ３２を繰り返す。一方、ステップＳ３３において、変化があったと判定されると、ステップＳ２１に戻る。ステップＳ２２においてＳ２までのレリーズボタンの押下がなされたと判定されると、ステップＳ３４に進み、絞り開口径が‘小絞り’にあるかが判定され、絞り開口径が‘小絞り’であると判定されると、ステップＳ３６に進み、撮影が行なわれる。ステップＳ３７では、撮影で得た画像データを記録媒体に記録するか否かが判定され、不図示の記録指示ボタンが押下され記録指示が出されていると判定されると、ステップＳ３８に進み記録が行なわれる。ステップＳ３７において記録の無効指示が出されていると判定されると、ステップＳ１に戻る。本実施形態のデジタルカメラでは、以上説明したように、第１回目の測光で被写界輝度の把握ができたときは、絞り開口径が‘小絞り’の状態のままで２段目（Ｓ２）までのレリーズボタンの押下を待って撮影が行なわれる。
【００７２】
一方、ステップＳ２６において、全エリアの測光ができていないと判定されると、ステップＳ２８に進み、絞り開口径を‘小絞り’に変化させる指示が出される。その後、ステップＳ２９に進み、‘開放端’に向かって変化途中のタイミングで第２回目の測光を行なう。ステップＳ３０では、第２の測光で得た被写界輝度に基づき絞り開口径が‘開放端’であるとしてシャッタスピードの設定が行なわれる。その後、ステップＳ３１においてピント調整が行なわれる。ステップＳ３２に進み、Ｓ２までレリーズボタンが押下されたと判定されると、ステップＳ３４に進むが、絞り開口径はすでに‘小絞り’から‘開放端’側に変化していることからステップＳ３５に進むこととなる。ステップＳ３５では、絞り開口径が‘開放端’になっているか否かが判定され、ステップＳ３５において、未だ絞り開口径が‘開放端’になっていないと判定されると、ステップＳ３４に戻り、絞り開口径が‘開放端’となるまでステップＳ３４およびステップＳ３５が繰り返される。ステップＳ３５において、絞り開口径が、‘開放端’になったと判定されると、ステップＳ３６に進む。以降の説明は、前述してあるので省略する。
【００７３】
以上に説明した実施形態のデジタルカメラでは、絞り開口径‘小絞り’において被写界輝度の測光が不能であった場合に、従来よりも早い輝度情報の獲得に加え、本撮影も、絞り開口径が‘開放端’に安定した時点で行なわれるため、絞り開口径‘小絞り’での測光が行なわれた後、絞り開口径‘開放端’による測光で得られた被写体輝度に基づいて設定された、絞り開口径‘開放端’とは異なる開口径での撮影が行なわれるような場合と比べ、撮影に要する時間をさらに短縮することができる。したがって、このデジタルカメラ１によれば、撮影に要する時間の短縮を図ることができる。
【００７４】
次に、本発明のカメラの第３実施形態について説明する。
【００７５】
本実施形態のデジタルカメラの外観およびハードウェア構成は、第１実施形態の外観およびハードウェア構成と同じであるので図示および説明は省略する。
【００７６】
図１２は、本実施形態であるデジタルカメラの内部ブロック図である。
【００７７】
図１２では、図８に示されている、デジタルカメラ１の構成要素のうち露出制御部４１０および撮影タイミング制御部４２０のみが変更されており、露出制御部４１０は、デジタルカメラの露出制御部３１０と比べ、フラッシュ１２１が使用される場合と使用されない場合とで動作が異なり、撮影タイミング制御部４２０は、デジタルカメラ１の撮影タイミング制御部３２０と比べ、第２の測光が行なわれた後の撮影指示を露出制御部に出力するタイミングが異なっている。
【００７８】
以下、図１２を参照しながら、本実施形態のデジタルカメラにおける静止画撮影について詳細に説明する。尚、動画撮影についての説明は、原理については前述してあるのと、公知の内容と同じとなるので省略する。
【００７９】
図６に示す動画/静止画切換ボタン１２２が静止画側にある状態において、１１レンズを被写体に向け、撮影者が１段目までレリーズボタン１３を押下すると、露出制御部４１０は、ガルバノメータ１０６に対し絞り開口を‘開放端’に変化させる指示を出し、絞り駆動部１００を通じて絞り羽根１０３が‘開放端’を形成した時点で測光部３００に対し被写界輝度の測光を指示する。
【００８０】
測光部３００は、被写界輝度の測光結果を露出制御部４１０に送信する。露出制御部４１０は、測光結果から撮像素子１０２上に輝度の把握ができていないエリアがないか否かを判定し、未把握エリアがなければ、絞り開口‘開放端’に対応するシャッタスピードが測光結果に基づいて設定され、撮影タイミング制御部３２０に撮影条件の設定完了が伝えられる。その後、ピント調整が終了すると、２段目までのレリーズボタン１３の押下をうけるまで、すなわち撮影タイミング制御部４２０からの撮影指示が送信されるまで待機状態となり、撮影指示に応じて撮影が行なわれる。尚、以上の態様は、フラッシュの使用不使用に影響されない。
【００８１】
一方、露出制御部４１０では、撮像素子１０２上に輝度の未把握エリアがあると、ガルバノメータ１０６に対し‘小絞り’側への移行を指示する。これにより、絞り開口径は‘開放端’から‘小絞り’側へと変化し始め、変化開始から所定の時間が経過したタイミングで‘小絞り’側への変化途中の絞り開口状態での測光が指示される。
【００８２】
露出制御部４１０は、２回目の測光により、撮像素子１０２上の輝度がすべて把握できた場合、この把握された被写界輝度に基づいてフラッシュ１２１の使用が必要か否かで動作を切り換える。
【００８３】
まず、フラッシュ１２１の使用が必要な場合には、把握された被写界輝度について、絞り開口径が‘小絞り’であるとしてシャッタスピードの設定が行なわれ、Ｓ２までのレリーズボタンの押下を待って撮影が行なわれ、撮影後に、撮影で得られた画像データに対して露出調整が行なわれる。したがって、シャッタスピードの設定からレリーズボタンのＳ２押下までの時間が短く、絞りが‘小絞り’に安定していない段階での撮影においては、絞り開口径が‘小絞り’に対応して設定されているシャッタスピードでは露出が適正ではないために、撮影後に露出調整が行なわれる。尚、シャッタスピードの設定からレリーズボタンＳ２押下までの時間が長く、絞り開口径が‘小絞り’に安定した後に撮影が行なわれた時は露出調整は不必要となる。
【００８４】
一方、フラッシ１２１の使用が不必要な場合には、Ｓ２までレリーズボタンが押下された時点での絞り開口径の検出が行なわれ、検出された絞りの開口状態に応じたシャッタスピードが設定される。したがって、この場合にも、露出調整は不要である。
【００８５】
本実施形態のデジタルカメラの撮影タイミング制御部４２０とデジタルカメラ１の撮影タイミング制御部３２０とでは、撮影タイミング制御部４２０がレリーズボタンＳ２までの押下を受けて直ちに撮影指示信号を出力するのに対し、撮影タイミング制御部３２０は、レリーズボタンＳ２までの押下を受けても絞り開口径が‘小絞り’となるまで撮影指示信号を出力しない点が異なっている。したがって、本実施形態のデジタルカメラでは、デジタルカメラ１とは異なり、Ｓ２までレリーズボタンが押下されれば、絞りが‘小絞り’に到達していなくても撮影が行なわれるようになっており、これにより、デジタルカメラ１よりもさらに撮影に要する時間を短縮することができる。尚、フラッシュ１２１の使用不使用に応じて上述のように対応を変えているのは、フラッシュ発光時にはＦ値のみによって露光量が決定される場合があるためである。
【００８６】
図１３は、本実施形態のデジタルカメラにおいて実行されるルーチンのフローチャートである。
【００８７】
図１３に示すステップＳ４１からステップＳ５０までは、図１０においてした説明と同じとなるので省略する。
【００８８】
ステップＳ５１では、２段目（Ｓ２）までのレリーズボタンの押下を待ち、Ｓ２までレリーズボタンが押下されると、ステップＳ５３に進み、絞り開口径が‘開放端’にあるか否かが判定され、絞り開口径が‘開放端’であると判定されると、ステップＳ６２に進み、撮影が行なわれる。その後、ステップＳ６３に進み、撮影で得た画像データを記録媒体に記録するか否かが判定され、不図示の記録指示ボタンが押下され、記録指示が出されていると判定されると、ステップＳ６４に進み記録が行なわれる。ステップＳ６３において不記録の指示が出されていると判定されると、ステップＳ４１に戻る。本実施形態のデジタルカメラでも、以上説明したように、第１回目の測光で被写界輝度の把握ができたときは、絞り開口径が‘開放端’の状態のままで、２段目（Ｓ２）までのレリーズボタンの押下を待って撮影が行なわれる。
【００８９】
一方、ステップＳ５３において、絞り開口径が‘開放端’になっていないと判定されると、ステップＳ５４に進み、フラッシュ１２１が使用されるか否かが判定され、使用されると判定されると、ステップＳ５５において、第２測光で得られた被写界輝度に基づき、絞り開口径を‘小絞り’とした場合に応じたシャッタスピードの設定が行なわれ、その後、ステップＳ５６で撮影が行なわれる。ステップＳ５７では、撮影が行なわれた段階で絞り開口径が‘小絞り’に到達していたか否かが判定され、到達していたと判定された場合には、ステップＳ６３に進み、到達していなかったと判定された場合には、撮影で得た画像データに対し露出調整がステップＳ５８において行なわれ、その後ステップＳ６３に進む。
【００９０】
また、ステップＳ５４において、フラッシュが使用されないと判定されたときは、ステップＳ５９に進み、現在の絞り開口径の検出が行なわれ、ステップＳ６０では、その検出された絞り開口径に応じたシャッタスピードの設定が行なわれる。その後、ステップＳ６１において撮影が行なわれる。尚、本実施形態のデジタルカメラでは、ステップＳ５７において、ステップＳ５６における撮影が行なわれた時点の絞り開口径が‘小絞り’であったか否かを判定し、それに応じて、撮影により得られた画像データの露出補正を行なうか行なわないかを決定しているが、本発明はこれに限らず、撮影によって得られた画像データに応じてこれらを決定するものであってよい。
【００９１】
次に、本発明のカメラのうちの第４実施形態について説明する。
【００９２】
本実施形態のデジタルカメラの外観およびハードウェア構成は、上述の実施形態の外観およびハードウェア構成と同じであるので図示および説明は省略する。
【００９３】
本実施形態のデジタルカメラと第３実施形態との相違点は、第３実施形態では、被写体輝度の最初の測光が絞り開口径を‘開放端’にして行なわれるのに対し、本実施形態では、これが最初に‘小絞り’にして行なわれる点と、最初の測光によって被写体輝度の把握が不能な場合の、再測光後の本撮影が、第３実施形態では絞り開口径が‘小絞り’側への変化の中で行なわれるのに対し、本実施形態では、‘開放端’側への変化の中で行なわれる点である。
尚、本実施形態のブロック図については、第３実施形態と異なり、被写体輝度の測光時の絞りの変化方向が‘小絞り’側から‘開放端’側へと変化しているために、本実施形態の露出制御部は第３実施形態の露出制御部４１０とは異なったものではあるが、図示は省略する。
【００９４】
図１４は、本実施形態のデジタルカメラにおいて実行されるルーチンのフローチャートである。
【００９５】
図１４に示すステップＳ７１からステップＳ８０までは、図１１においてした説明と同じとなるので省略する。
【００９６】
ステップＳ８１では、２段目（Ｓ２）までのレリーズボタンの押下を待ち、Ｓ２までレリーズボタンが押下されると、ステップＳ８３に進み、絞り開口径が‘小絞り’にあるか否かが判定され、絞り開口径が‘小絞り’であると判定されると、ステップＳ９２に進み、撮影が行なわれる。その後、ステップＳ９３に進み、撮影で得た画像データを記録媒体に記録するか否かが判定され、不図示の記録指示ボタンが押下され、記録指示が出されていると判定されると、ステップＳ９４に進み記録が行なわれる。ステップＳ９３において不記録の指示が出されていると判定されると、ステップＳ７１に戻る。本実施形態のデジタルカメラでも、以上説明したように、第１回目の測光で被写界輝度の把握ができたときは、絞り開口径が‘小絞り’の状態のままで、２段目（Ｓ２）までのレリーズボタンの押下を待って撮影が行なわれる。
【００９７】
一方、ステップＳ８３において、絞り開口径が‘小絞り’になっていないと判定されると、ステップＳ８４に進み、フラッシュ１２１が使用されるか否かが判定され、使用されると判定されると、ステップＳ８５において、第２測光で得られた被写界輝度に基づき、絞り開口径を‘開放端’とした場合に応じたシャッタスピードの設定が行なわれ、その後、ステップＳ８６で撮影が行なわれる。ステップＳ８７では、撮影が行なわれた段階で絞り開口径が‘開放端’に到達していたか否かが判定され、到達していたと判定された場合には、ステップＳ９３に進み、到達していなかったと判定された場合には、撮影で得た画像データに対し露出調整がステップＳ８８において行なわれ、その後ステップＳ９３に進む。
【００９８】
また、ステップＳ９４において、フラッシュ１２１が使用されないと判定されたときは、ステップＳ８９に進み、現在の絞り開口径の検出が行なわれ、ステップＳ９０では、その検出された絞り開口径に応じたシャッタスピードの設定が行なわれる。その後、ステップＳ９１において撮影が行なわれる。
【００９９】
したがって、本実施形態のデジタルカメラでも、Ｓ２までレリーズボタンが押下されれば、絞りが‘開放端’に到達していなくても撮影が行なわれるようになっており、これにより、デジタルカメラ１よりもさらに撮影に要する時間を短縮することができる。
【０１００】
ここで、以上に説明した実施形態では、絞り部材としてガルバノ式絞りを採用した場合を例に挙げて説明したが、本発明はこれに限るものではなく、図１５に示すようなステッピングモータを用いた多段式絞りを採用するものであってもよい。
【０１０１】
図１５は、多段式絞りの外観斜視図である。
【０１０２】
図１５には、この多段式絞り５００の構成要素である、３枚の絞り羽根５１０、これら３枚の絞り羽根５１０に設けられたカム孔５１０ａに取り付けられたピン（不図示）が嵌入されたカム溝（不図示）が設けられた絞り駆動リング５２０、絞り駆動リング５２０を回動自在に軸支する固定板５３０、この固定板の周囲に設けられたギア５２１に噛合するピニオンギア５４１を有するステッピングモータ５４０が示されている。
【０１０３】
また、この多段式絞り５００には、図１５には不図示の、３枚の絞り羽根５１０それぞれの端部に設けられたピン受け孔５１０ｂを貫通する３つのピンが立設されたカバーが備えられており、このカバーは固定板５３０に取り付けられており、この多段式絞り５００では、ステッピングモータ５４０を回転させることで絞り駆動リング５２０を回動させ、この絞り駆動リング５２０に設けられたカム溝の形状に応じて３つの絞り羽根で形成される開口形状を変化させている。
【０１０４】
図１６は、図１５に示す多段式絞りにおける、ステッピングモータのステップ数と絞り値との関係を示すグラフである。
【０１０５】
図１６には、横軸に示す、ステッピングモータのステップ数の変化に伴う、縦軸に示す絞り値（Ａｐｅｒｔｕｒｅ  Ｖａｌｕｅ）の変化が示されている。この多段式絞りを採用することで、露出精度を高めることができる。
【０１０６】
以上に説明した実施形態では、本発明にいう第１の開口径あるいは第２の開口径として‘開放端’を例に挙げて説明したが、これは相対的に大きな開口径であればよく、‘開放端’に限るものではない。また、この相対的に大きな開口径は、様々な状態、例えばズームレンズを搭載したカメラにおけるそのズームレンズの焦点距離や複数の撮影モードを持つカメラにおける撮影モードの相違などに応じて異なる開口径であってもよい。また、これと同様、以上に説明した実施形態では、開放端よりも小さな開口径として‘小絞り’という名称を用いたが、この小絞りは相対的に小さな開口径であれば良くて常に一定の絞り径である必要はなく、様々な状態に応じて様々に異なる開口径であってもよい。
【図面の簡単な説明】
【０１０７】
【図１】ガルバノ式絞りの概略図である。
【図２】ガルバノメータの内部構成図である。
【図３】ガルバノ式絞りの開口径を、目標とする絞り開口径に変化させた場合の様子を示す図である。
【図４】ガルバノメータの回動軸の回動に伴って、開放端から閉鎖端までの絞り開口のＦ値の変化を示す図である。
【図５】本発明のカメラのうちの第１のカメラの第１実施形態の外観斜視図である。
【図６】本実施形態であるデジタルカメラの内部構成図である。
【図７】図６に示す信号処理回路の構成ブロック図である。
【図８】本実施形態の内部ブロック図である。
【図９】本実施形態のデジタルカメラの絞りの変化を示す図である。
【図１０】本実施形態のデジタルカメラにおいて実行されるルーチンのフローチャートである。
【図１１】本実施形態のデジタルカメラにおいて実行されるルーチンのフローチャートである。
【図１２】本実施形態のデジタルカメラにおいて実行されるルーチンのフローチャートである。
【図１３】本実施形態のデジタルカメラにおいて実行されるルーチンのフローチャートである。
【図１４】本実施形態のデジタルカメラにおいて実行されるルーチンのフローチャートである。
【図１５】多段式絞りの外観斜視図である。
【図１６】図１５に示す多段式絞りにおける、ステッピングモータのステップ数と絞り値との関係を示すグラフである。
【符号の説明】
【０１０８】
１  デジタルカメラ
２  筐体
１１  レンズ
１２  フラッシュ発光窓
１３  レリーズボタン
１００  絞り駆動部
１００ａ  回動ロータ
１００ｂ  ポスト
１０２  撮像素子
１０３  絞り
１０３ａ  第１絞り羽根
１０３ｂ  第２絞り羽根
１０４  信号処理回路
１０５  出力端子
１０６  絞り制御回路、ガルバノメータ
１０６ａ  回動軸
１０６ｂ  磁石
１０６ｃ  駆動コイル
１０６ｄ  制動コイル
１０７  ホール素子回路
１０８  電子シャッタ制御回路
１０９  マイクロコンピュータ
１１０  レリーズボタン
１１１  絞り制御信号
１１２  絞り位置検出信号
１１３  電子シャッタスピード制御信号
１１４  信号量情報
１１５  垂直同期信号
１１６  同期信号発生回路
１１７  Ａ／Ｄ変換器
１１８  メモリ制御回路制御信号
１１９  動画／静止画切換信号
１２０  フラッシュ制御回路
１２１  フラッシュ装置
１２２  撮影切換ボタン
２０１  セレクタ回路
２０２  カメラ信号処理回路
２０３  信号量情報検出回路
２０４  第１メモリ
２０５  第２メモリ
２０６  メモリ制御回路
２０７  加算器
２０８  動画信号
２０９  静止画信号
２１０  メモリ制御信号
３００  測光部
３１０、４１０  露出制御部
３２０、４２０  撮影タイミング制御部
５００  多段式絞り
５１０  絞り羽根
５１０ａ  カム孔
５１０ｂ  ピン受け孔
５２０  絞り駆動リング
５２１  ギア
５３０  固定板
５４０  ステッピングモータ
５４１  ピニオンギア
【図１】
2004310010.tif 000003
【図２】
2004310010.tif 000004
【図３】
2004310010.tif 000005
【図４】
2004310010.tif 000006
【図５】
2004310010.tif 000007
【図６】
2004310010.tif 000008
【図７】
2004310010.tif 000009
【図８】
2004310010.tif 000010
【図９】
2004310010.tif 000011
【図１０】
2004310010.tif 000012
【図１１】
2004310010.tif 000013
【図１２】
2004310010.tif 000014
【図１３】
2004310010.tif 000015
【図１４】
2004310010.tif 000016
【図１５】
2004310010.tif 000017
【図１６】
2004310010.tif 000018